(57)【特許請求の範囲】
【請求項１】
建築現場の起伏状態の異なる地面に二基以上連結的に設置するために、一対の平行な傾斜支柱の両端に底面側に半円状の切欠状態とした係止金具をその切欠部を底面側に向けて傾斜支柱の両端部から端部方向にそれぞれ突き出して固着し、
この係止金具を固着した一対の平行な傾斜支柱間に複数の踏み板の前端両側部を回動自在に軸着し、踏み板の後端両側部を前記傾斜支柱に平行に配設した一対のリンク材に回動自在に軸着して折り畳み可能とするとともに、踏み板を傾斜支柱に対して任意の角度位置で固定する角度固定具を左右の傾斜支柱に各１個ずつ配設した仮設足場用階段を使用し、
上記角度固定具としては、傾斜支柱の側面に長手方向に沿って長孔を穿設し、該長孔と同一形状の長孔に所定間隔で丸型透孔を穿設したボルト固定板を長孔に重ね合わせて取着して締結用ボルトの太径部を嵌め入れる窪みを形成し、長孔とリンク材との間に角度固定材を配設し、該角度固定材の一端部をリンク材の所定位置に軸着すると共に、他端部を長孔に挿入した締結用ボルトを角度固定材に固着したナットに螺着して締結用ボルトの締緩操作によって踏み板を任意の角度に調整するようにしており、
建築現場の起伏状態の異なる地面にパイプの横架材を所定間隔で設置し、この上位側のパイプの横架材に仮設足場用階段の上位側の傾斜支柱の上端より底面側に半円状の切欠状態とした係止金具をその切欠部を底面側に向けて突き出した係止金具を係止するとともに、下位側のパイプの横架材に仮設足場用階段の下位側の傾斜支柱の下端より底面側に半円状の切欠状態とした係止金具をその切欠部を底面側に向けて突き出した係止金具を係止して、この起伏状態の異なる地面に対してそれぞれの仮設足場用階段の踏み板の一つを水平となるように回動してリンク材によって連結されている他の踏み板を連動して水平として両側の角度固定材を固定し、パイプの横架材との組み合わせによって仮設足場用階段を二基以上連続的に設置して長い仮設足場用階段を建築現場の起伏状態の異なる地面に設置していくことを特徴とした仮設足場用階段の連設設置方法。
【請求項２】
踏み板の後端両側部を傾斜支柱間の幅より若干狭く平行に配設したリンク材に回動自在に軸着し、リンク材の高さや幅は傾斜支柱の高さや幅よりも短くして傾斜支柱内に収納可能に配設した請求項１に記載の仮設足場用階段の連設設置方法。
【請求項３】
仮設足場用階段の設置する傾斜角度に対応して手摺枠の脚柱を傾斜支柱の高さ方向に移動自在に傾斜支柱に取り付ける請求項１または２に記載の仮設足場用階段の連設設置方法。
【発明の詳細な説明】
【０００１】
【発明の属する技術分野】
本発明は、建設現場の昇降用に用いられる仮設足場用階段の連設設置方法に関し、特に階段の傾斜を変更できて、かつ二基以上連続的に設置して長い仮設足場用階段を設置でき、必要により階段の傾斜に対応して手摺枠の高さを変更できる仮設足場用階段の連設設置方法に関するものである。
【０００２】
【従来の技術】
仮設足場用階段は、一対の平行な傾斜材に複数の踏み板を所定角度で溶接にて固着したものが一般的であり、これを建築物の周囲に組み上げた仮設足場間に掛け渡して昇降路を形成している。
【０００３】
しかし、この踏み板を所定角度にて固着した階段では、階段の勾配が変わると踏み板が水平とならないために、特開平６−３２３００３号公報に示される如く、複数枚の踏み板を一対の平行な傾斜支柱間に回動自在に軸着すると共に、各踏み板を連結材によって一対のリンク材に連結し、踏み板の角度を連動して自在に変更できるようにしたものが提案されている。
【０００４】
【発明が解決しようとする課題】
しかし、この仮設階段では、傾斜材とリンク材の下端部をベース板により連結し、ベース板を地面等に密着させることにより踏み板の角度をベース板の角度となるようにしているので、水平な設置面での設置には便利であるが、地面や床面等が傾斜しているときには踏み板も傾斜してしまし、安定性に欠ける。
【０００５】
また、この仮設階段では、その両端に係止金具を配設していないため、階段を二基以上連続的に設置して長い仮設足場用階段を設置することができず、近年要求されている山を切り拡くときの法面用通路や作業現場の足場等には全く利用できないものであった。
【０００６】
【議題を解決するための手段】
本発明は、上記のような点に鑑みたもので、上記の課題を解決するために、建築現場の起伏状態の異なる地面に二基以上連結的に設置するために、一対の平行な傾斜支柱の両端に底面側に半円状の切欠状態とした係止金具をその切欠部を底面側に向けて傾斜支柱の両端部から端部方向にそれぞれ突き出して固着し、この係止金具を固着した一対の平行な傾斜支柱間に複数の踏み板の前端両側部を回動自在に軸着し、踏み板の後端両側部を前記傾斜支柱に平行に配設した一対のリンク材に回動自在に軸着して折り畳み可能とするとともに、踏み板を傾斜支柱に対して任意の角度位置で固定する角度固定具を左右の傾斜支柱に各１個ずつ配設した仮設足場用階段を使用し、上記角度固定具としては、傾斜支柱の側面に長手方向に沿って長孔を穿設し、該長孔と同一形状の長孔に所定間隔で丸型透孔を穿設したボルト固定板を長孔に重ね合わせて取着して締結用ボルトの太径部を嵌め入れる窪みを形成し、長孔とリンク材との間に角度固定材を配設してこの角度固定材の一端部をリンク材の所定位置に軸着すると共に他端部を長孔に挿入した締結用ボルトを角度固定材に固着したナットに螺着し、締結用ボルトの締緩操作によって踏み板を任意の角度に調整するようにしており、建築現場の起伏状態の異なる地面にパイプの横架材を所定間隔で設置し、この上位側のパイプの横架材に仮設足場用階段の上位側の傾斜支柱の上端より底面側に半円状の切欠状態とした係止金具をその切欠部を底面側に向けて突き出した係止金具を係止するとともに、下位側のパイプの横架材に仮設足場用階段の下位側の傾斜支柱の下端より底面側に半円状の切欠状態とした係止金具をその切欠部を底面側に向けて突き出した係止金具を係止して、この起伏状態の異なる地面に対してそれぞれの仮設足場用階段の踏み板の一つを水平となるように回動してリンク材によって連結されている他の踏み板を連動して水平として両側の角度固定材を固定し、パイプの横架材との組み合わせによって仮設足場用階段を二基以上連続的に設置して長い仮設足場用階段を建築現場の起伏状態の異なる地面に設置していくことを特徴とした仮設足場用階段の連設設置方法。
【０００７】
【発明の実施の形態】
本発明の仮設足場用階段の連設設置方法は、建築現場の起伏状態の異なる地面に二基以上連結的に設置するために、一対の平行な傾斜支柱の両端に底面側に半円状の切欠状態とした係止金具をその切欠部を底面側に向けて傾斜支柱の両端部から端部方向にそれぞれ突き出して固着し、この係止金具を固着した一対の平行な傾斜支柱間に複数の踏み板の前端両側部を回動自在に軸着し、踏み板の後端両側部を前記傾斜支柱に平行に配設した一対のリンク材に回動自在に軸着して折り畳み可能とするとともに、踏み板を傾斜支柱に対して任意の角度位置で固定する角度固定具を左右の傾斜支柱に各１個ずつ配設した仮設足場用階段を使用し、上記角度固定具としては、傾斜支柱の側面に長手方向に沿って長孔を穿設し、該長孔と同一形状の長孔に所定間隔で丸型透孔を穿設したボルト固定板を長孔に重ね合わせて取着して締結用ボルトの太径部を嵌め入れる窪みを形成し、長孔とリンク材との間に角度固定材を配設してこの角度固定材の一端部をリンク材の所定位置に軸着すると共に他端部を長孔に挿入した締結用ボルトを角度固定材に固着したナットに螺着し、締結用ボルトの締緩操作によって踏み板を任意の角度に調整するようにしており、建築現場の起伏状態の異なる地面にパイプの横架材を所定間隔で設置し、この上位側のパイプの横架材に仮設足場用階段の上位側の傾斜支柱の上端より底面側に半円状の切欠状態とした係止金具をその切欠部を底面側に向けて突き出した係止金具を係止するとともに、下位側のパイプの横架材に仮設足場用階段の下位側の傾斜支柱の下端より底面側に半円状の切欠状態とした係止金具をその切欠部を底面側に向けて突き出した係止金具を係止して、この起伏状態の異なる地面に対してそれぞれの仮設足場用階段の踏み板の一つを水平となるように回動してリンク材によって連結されている他の踏み板を連動して水平として両側の角度固定材を固定し、パイプの横架材との組み合わせによって仮設足場用階段を二基以上連続的に設置して長い仮設足場用階段を建築現場の起伏状態の異なる地面に設置していくことを特徴としている。
【０００８】
仮設足場用階段１は、図１、図２のようにその両端に係止金具２を固着した断面略コ字形状のアルミ材より成る一対の傾斜支柱３を所定間隔をおいて平行に配設すると共に、該一対の傾斜支柱３間に所定の厚みを有する踏み板４を傾斜支柱３の長手方向に沿って所定間隔で配置し、図３、図４のように踏み板４の前端の両側部に突設した軸体５を傾斜支柱３の側面に穿設した透孔に嵌入して回動自在に軸着している。
【０００９】
そして、傾斜支柱３間の幅より若干狭く平行に一対のリンク材６を配設し、図３、図４のように踏み板４の後端の両側部に突設した軸体７をリンク材６の側面に穿設した透孔に嵌入して回動自在に軸着し、踏み板４の一つを回動させるとリンク材６を介して全ての踏み板４を連動して回動するようにしている。
【００１０】
また、リンク材６は、傾斜支柱３の高さや幅よりも短く、傾斜支柱３よりも細くしてあり、踏み板４を折り畳んで踏み板４と傾斜支柱３の軸線方向との成す角度を小さくすると、図５のように踏み板４及びリンク材６のいずれもが一対の傾斜支柱３間に収納されるようにしている。
【００１１】
踏み板４は、傾斜支柱３に対して任意の角度位置で固定できるように角度固定具を配設しているが、この角度固定具の一例としては、図３、図４に示すように傾斜支柱３の側面に長手方向に沿って長孔８を穿設し、該長孔８と同一形状の長孔に所定間隔で丸型透孔を穿設したボルト固定板９を長孔８に重ね合わせて固着し、締結用ボルト１０の太径部１１を嵌め入れる窪み１２を形成する。
【００１２】
一方、長孔８とリンク材６との間には角度固定材１３を配設し、該角度固定材１３の一端部をリンク材６の所定位置に軸体１４を介して回動自在に軸着すると共に、他端部を長孔８に挿入した締結用ボルト１０を角度固定材１３に固着したナット１５に螺着し、締結用ボルト１０の締緩操作によって踏み板４を任意の角度に調整できるようにしている。
【００１３】
また、傾斜支柱３の側面には、図１、図２に示すように短管１６の背面に取付板１７を固着したソケット金具１８を手摺枠２５の脚柱２６の数（実施例では２か所）に合わせてそれぞれ取付板１７を傾斜支柱３にボルトナット１９により締結して配設している。
【００１４】
前記短管１６の上部付近には、図５のように透孔２０を穿設すると共に、該透孔２０に一致させてナット２１を固着し、該ナット２１にボルト２２を螺着してボルト２２をねじ込むことによって短管１６内に挿入する管体の揺れを固定するようにしている。
【００１５】
また、短管１６の下部付近には、図５、図６のように固定ピン２３を挿入する透孔２４を対向的に穿設し、図７、図８に示すように手摺枠２５の脚柱２６の下部にも脚柱２６の長手方向に沿って所定の間隔で前記固定ピン２３を挿入する透孔２７ａ、２７ｂを２か所穿設している。
【００１６】
次に、上記仮設足場用階段の設置方法について説明する。先ず、図１のように階段１に手摺枠２５を取り付ける。このとき、階段１の掛け渡す角度を予測して傾斜支柱３に取り付けたソケット金具１８への手摺枠２５の脚柱２６の取り付け位置を決めるのであるが、脚柱２６下部に脚柱２６に沿って約１００ｍｍの間隔で２か所に透孔２７ａ、２７ｂを穿設してある。
【００１７】
ソケット金具１８への取付方法については、図６に示す次の３つの方法がある。取付方法１としては、脚柱２６の下端部をソケット金具１８の短管１６に穿設した透孔２４に挿入した固定ピン２３で支えるように取り付ける。
【００１８】
取付方法２としては、脚柱２６下部の下側の透孔２７ａを短管１６に穿設した透孔２４に一致させ、これらの透孔に固定ピン２３を挿入して取り付ける。
【００１９】
取付方法３としては、脚柱２６下部の上側の透孔２７ｂを短管１６に穿設した透孔２４に一致させ、これらの透孔に固定ピン２３を挿入して取り付ける。
【００２０】
階段１の傾斜角度は、１５度〜７０度の範囲に調整可能となっており、これを傾斜角度によって３段階に区分すると、例えば第１段階として１５度〜４５度、第２段階として４５度〜６０度、第３段階として６０度〜７０度とすることができる。
【００２１】
この傾斜区分に対して、手摺枠２５の脚柱２６の取り付け方法を前記の３つの方法から適用すると、傾斜角度が１５度〜４５度の場合には取付方法１で、４５度〜６０度の場合には取付方法２で、６０度〜７０度の場合には取付方法３で取り付けるといった対応ができる。
【００２２】
取付方法１によると手摺の高さが一番高くなり、取付方法２、３となるにしたがって手摺の高さが順次低くなる。なお、これは一実施例であって、手摺枠の形状や取付孔の数によってこれ以外の区分も考えられ、種々の組み合わせを考えることができる。
【００２３】
このようにして、階段１の傾斜角度を予測して手摺枠２５を傾斜支柱３のソケット金具１８の適正な位置に固定ピン２３により取り付け、更にボルト２２をねじ込んで固定した後、階段１の傾斜支柱３の上端側の係止金具２を、例えば上位に設置された足場枠の横架材に係止し、また傾斜支柱３の下端側の係止金具２を下位に設置された足場枠の横架材に係止する。なお、地面上に設置するときには、敷板等を敷いてその上に直に係止金具２を載置してもよい。
【００２４】
傾斜支柱３の掛け止めが完了すると、傾斜支柱３の側面に配設した締結用ボルト１０を緩めて、ボルトの太径部１１を長孔８とボルト固定板９によって形成した窪み１２より離脱させ、締結用ボルト１０が長孔８に沿って摺動自在な状態にする。
【００２５】
そして、踏み板４の一つを手にとって水平となるように回動させる。踏み板４の一つを水平に回動させると、リンク材６によって連結されている他の踏み板４も連動して水平となる。このとき、リンク材６に連結した角度固定材１３も連動して動き、角度固定材１３を固定する締結用ボルト１０も長孔８に沿って摺動する。
【００２６】
踏み板４が水平になれば、締結用ボルト１０の太径部１１を長孔８とボルト固定板９によって形成した窪み１２に嵌め入れた後、締結用ボルト１０を締めつけて角度固定材１３を固定し、一つの階段１の設置が完了する。
【００２７】
そして、所定の間隔で横架材を設置し、階段１の上下両端部の係止金具２を横架材に係止することによって、階段１を二基以上連続的に設置して長い階段を構成することも可能となって高い場所等への昇降にも対応できる。
【００２８】
このように、階段１の両端に係止金具２を固着しているので、建築現場に適宜設置されるパイプ等の横架材に両端の係止金具２を係止することによってどこにでも階段を簡単に設置でき、またパイプ等の横架材との組み合わせによって階段を二基以上連続的に設置して長い階段を構成することも可能となって高い場所への昇降にも対応できる。
【００２９】
傾斜支柱３に取り付ける手摺枠２５の高さは、上記したように掛け渡す傾斜角度に応じて調整することができて、昇降時に無理なく手摺を握ることができて安全性が向上する。
【００３０】
また、傾斜支柱３を所定の場所に掛け止めした後に踏み板４の角度調整を行うので、階段１を支持する地面の起伏状態に影響されることなく踏み板４を常に水平に調整できる。
【００３１】
次に、階段１を運搬または保管するときは、傾斜支柱３側面の締結用ボルト１０を緩めてボルトの太径部１１をボルト固定板９の窪み１２より離脱させ、締結用ボルト１０を長孔８に沿って摺動自在とする。
【００３２】
そして、踏み板４を畳み込むと、リンク材６を傾斜支柱３間の内側に位置させると共にその高さ幅を傾斜支柱３よりも短くしているので、図５に示すように、踏み板４及びリンク材６を傾斜支柱３間に収納でき、正面からの外観は傾斜支柱３のみのコンパクトなものとなる。
【００３３】
踏み板４及びリンク材６を傾斜支柱３間に収納すると、締結用ボルト１０の太径部１１をボルト固定板９の窪み１２に嵌め入れてから締結用ボルト１０を締めつけて踏み板４及びリンク材６を固定する。
【００３４】
そして、階段１を運搬するときには、二人で片方の傾斜支柱３の両端を持って垂下させるようにして容易に運搬することができ、また、運搬または保管時に複数の階段１を積み上げるときには、横たえた階段１の傾斜支柱３の上には邪魔なものがなく、その上に次々と階段を積み上げても安定して積み上げることができる。
【００３５】
なお、上記実施例の角度固定具は、踏み板４の角度を迅速かつ確実に調整固定することができるが、角度固定具は上記実施例に何ら限定するものではなく、他の方法を採用して固定しても良いことは勿論のことである。
【００３６】
また、上記実施例の手摺枠取付金具は短管によりソケット部を形成したものであるが、手摺枠取付金具は上記実施例に限定されるものではなく、この他に手摺枠の脚柱を挿入して固定する金具としては、例えば板材を断面略コ字形状に折曲したもの等も考えられ、種々の方法を採用することができる。
【００３７】
【発明の効果】
以上のように本発明にあっては、仮設足場用階段の一対の平行状の傾斜支柱の両端にその両端からそれぞれ突き出した底面側に向けて半円状の切欠状態とした係止金具を建築現場の起伏状態の異なる地面に適宜設置するパイプの横架材に一のパイプの横架材に上位の階段の下端の係止金具と下位の階段の上端の係止金具を掛け止めでき、どこにでも建築現場の起伏状態の異なる地面に仮設足場用階段をパイプの横架材との組み合わせで簡単に設置できる。そして、角度固定具としては、傾斜支柱の側面に長手方向に沿って長孔を穿設し、該長孔と同一形状の長孔に所定間隔で丸型透孔を穿設したボルト固定板を長孔に重ね合わせて取着して締結用ボルトの太径部を嵌め入れる窪みを形成し、長孔とリンク材との間に角度固定材を配設してこの角度固定材の一端部をリンク材の所定位置に軸着すると共に他端部を長孔に挿入した締結用ボルトを角度固定材に固着したナットに螺着し、締結用ボルトの締緩操作によって踏み板を任意の角度に調整するようにしたことによって、締結用ボルトの締緩操作によって踏み板を任意の角度に調整することができる。特に、傾斜支柱の側面に配設した締結用ボルトを緩めると、締結用ボルトが長孔に沿って摺動自在な状態となり、踏み板の一つを水平に回動させるとリンク材によって連結されている他の踏み板も連動して水平となって、締結用ボルトを長孔とボルト固定板によって形成した丸型透孔に嵌め入れた後、締結用ボルトを締めつけて角度固定材を固定して階段の設置ができるものである。そして、階段を運搬または保管するときは、傾斜支柱側面の締結用ボルトを緩めてボルトをボルト固定板の上記丸型透孔より離脱させ、締結用ボルトを長孔に沿って摺動自在となって折り畳み状態とすることができる。
【００３８】
そして、階段を地面や床面等に上記のようにして設置しても、左右の傾斜支柱の角度固定材で踏み板を起伏状態に影響されることなく常に水平に調整して設置することができると共に、踏み板を折り畳んで収納することができ、運搬や保管がしやすくなる。また、パイプの横架材と仮設足場用階段との組み合わせによって、仮設足場用階段をどこにでも簡単に設置できると共に、二基以上連続的に設置することも可能となって高い場所等への昇降にも対応できる。
【００３９】
さらに、締結用ボルトの締緩操作によって踏み板を任意の角度に調整することができる。
【００４０】
またさらに、傾斜角度に応じて手摺枠を高さ調整することができて、昇降時に手摺が握り易くなり、より安全に昇降することができる。
【図面の簡単な説明】
【図１】本発明に係る仮設足場用階段の正面図、
【図２】同上の側面図、
【図３】同上の一部を切り欠いた要部拡大図、
【図４】同上の一部を切り欠いたＡ矢視図、
【図５】同上の踏み板を傾斜支柱に収納した状態を示す図、
【図６】同上のソケット金具への手摺枠の取り付け状態を示す説明図、
【図７】同上の手摺枠の正面図、
【図８】同上の側面図。
【符号の説明】
１…階段                    ２…係止金具          ３…傾斜支柱
４…踏み板                  ６…リンク材        １３…角度調整材
２５…手摺枠                ２６…脚注
【図１】
0003594298.tif 000002
【図２】
0003594298.tif 000003
【図３】
0003594298.tif 000004
【図４】
0003594298.tif 000005
【図５】
0003594298.tif 000006
【図６】
0003594298.tif 000007
【図７】
0003594298.tif 000008
【図８】
0003594298.tif 000009